(57)【要約】      （修正有）【課題】遠隔操作で解錠する鋼板製物置小屋の引き戸用解錠装置を用いて、既存の物置小屋や新設の物置小屋に容易に取り付けられる遠隔解錠装置を提供する。【解決手段】薄鋼板製の戸当たり柱の、鍵フック４入口の鍵フック穴の下を切り欠き、切り欠き部を設ける。切り欠き部を塞ぐ位置に可動板７をレール６で両側から挟む形で取り付ける。可動板７にプッシュロッドで接続したソレノイド８を取り付ける。可動板とソレノイドの間にスプリング１０を嵌め込み可動板を押し上げる構造とする。一方、開き戸扉に取り付けられたシリンダー錠の鍵フック４は、合い鍵操作により上下に動かせる。鍵フックを上にあげると解錠で下にさげると施錠となる。扉を閉めて鍵フックを下にさげれば施錠状態であるが、遠隔操作によりスイッチを入れると可動板７が下方に移動するため、鍵フックが下にさがっていても扉の開放が可能である。【選択図】図７
0003145564.tif 000002
【実用新案登録請求の範囲】
【請求項１】
遠隔操作で解錠する鋼板製物置小屋の引き戸用解錠装置。
【考案の詳細な説明】
【技術分野】
【０００１】  本考案は、鋼板製物置小屋の引き戸に取り付けた錠前を施錠したまま、合い鍵を用いずに遠隔操作で鍵を解く方法である。構造は鍵フックが入る開口部を通常の大きさより下に大きく切り欠き、その切り欠いた部分の内側にスライドが可能な両側のレールに挟まれた可動板を取り付けた簡単な方法とする。可動板は電磁石式ソレノイドにロッドで直結されており、スイッチを入れるとソレノイドのコイルに電圧がかかり磁力により可動板が下に移動する。従って、開口部は下に大きく広がるため鍵フックは引っ掛かる部分がなくなり、開き戸は合い鍵を用いずに開くことが可能となる。
スイッチを切ると磁力がなくなりスプリングの力で可動板は元にもどり施錠される。
【背景技術】
【０００２】  従来、遠隔操作で解錠できる錠前は錠前自体にソレノイド等の電気的な動力機構を用いたものであった。従って、遠隔操作で物置小屋の引き戸を解錠するには、遠隔操作用の錠前に取り替える必要があった。
市販の物置小屋は、薄板鋼板で製作されており錠前そのものも比較的構造の簡単なものが採用されている。そのため従来の遠隔操作専用の錠前は取り付けが困難であり、また薄板鋼板を使用した小屋の構造から見て従来型の頑丈な鍵にする必要はないものと思われる。
【考案の開示】
【考案が解決しようとする課題】
【０００３】  そのために次のような問題点を解決する必要があった。
当該の解錠装置は市販の物置小屋に取り付けられた錠前を取り替えることなく、錠前の鍵フックが差し込まれる受け側の穴をフックの大きさだけ切り欠きその部分に可動板を取り付け、その可動板をソレノイドで上下にスライドする構造であるので、既存の錠前を取り替える必要がない。
【課題を解決するための手段】
【０００４】  戸当たり柱（１）の鍵フック穴（２）の下の部分を切り欠き、鍵フック（４）が施錠状態でも引っ掛からないように穴を大きく切り欠く。
切り欠き部（３）の内側に２本のレール（６）を取り付け、そのレールに沿わせて可動板（７）をはめ込む。可動板はプッシュロッド（９）でソレノイド（８）の可動鉄心に接続する。
可動板は切り欠き部（３）を塞ぐため、鍵フックの邪魔板となり鍵がロックした状態となる。また、シリンダー錠（５）を合い鍵で解錠した場合は、通常の解錠が可能で扉の開閉ができる。
遠隔操作については、スイッチ（１４）が入ると可動鉄心が磁力で吸引されるため可動板（７）は下に移動し、切り欠き部（３）が開くため合い鍵を用いずに扉の開閉が可能である。
【考案の効果】
【０００５】  物置小屋の解・施錠は、物置小屋に隣接する屋内などからスイッチ操作で行う方が合い鍵を用いるより容易である。
また、地域の住民が共同で地震に備えた災害救助用機材の保管小屋を設置し、地震感知器と本考案の解除装置を接続すれば、合い鍵を持たない不特定多数の人が救助機材を使用して救助作業が可能である。
【考案を実施するための最良の形態】
【０００６】  以下、本考案の実施形態を説明する。
屋内に隣接する物置小屋の扉を解錠する場合に、屋内にスイッチを設けてＯＮ・ＯＦＦ操作すれば、合い鍵で解錠する必要がない。特に夜間の暗いときには有効である。また、地震に際しても地震感知器に接続すれば自動的に解錠され、合い鍵の必要がない。従って、町内会など共同で防災機器の管理保管をする場合は、一層有効である。
【実施例】
【０００７】  本案の鋼板製物置小屋の引き戸用解錠装置は、図３のスイッチ（１４）を閉じるとバッテリー（１５）から電気が流れてソレノイド（８）の可動鉄心が電磁石で吸引され、可動板（７）が下に移動する。
従って、鍵フック（４）は邪魔板がなくなるので扉の開閉が可能である。
【図面の簡単な説明】
【０００８】
【図１】  戸当り柱立体図
【図２】  錠前正面図
【図３】  回路図
【図４】  内部構造図
【図５】  鍵部の外観図
【図６】  側面図
【図７】  正面図
【符号の説明】
【０００９】  １戸当り柱
２鍵フック穴
３切り欠き部
４鍵フック
５シリンダー錠
６レール
７可動板
８ソレノイド
９プッシュロッド
１０スプリング
１１リード線
１２引き戸
１３取っ手
１４スイッチ
１５バッテリー
【図１】
0003145564.tif 000003
【図２】
0003145564.tif 000004
【図３】
0003145564.tif 000005
【図４】
0003145564.tif 000006
【図５】
0003145564.tif 000007
【図６】
0003145564.tif 000008
【図７】
0003145564.tif 000009
【手続補正書】
【提出日】平成20年1月11日(2008.1.11)
【手続補正１】
【補正対象書類名】実用新案登録請求の範囲
【補正対象項目名】全文
【補正方法】変更
【補正の内容】
【実用新案登録請求の範囲】
【請求項１】
地震発生と同時に、防災救命器具や医療薬品を保管した鋼板製物置小屋の鍵をソレノイドで自動的に解錠するシステム。
鋼板製物置小屋の開き戸についている鍵を取り替えることなく、戸当たり柱のフック穴を鍵フックが外れる大きさに加工し、加工した穴を可動鉄板で塞いだり開けたり、ソレノイドによって施錠と解錠を行うものである。
可動鉄板は、常に鍵フックが施錠の位置にあるようにスプリングで押し付けられているが、地震と同時に地震感知器が作動し、ソレノイドの鉄心に直結された可動鉄板が鍵フックの位置から移動する。
従って、開き戸は鍵フックが戸当たり柱の中に入っているにもかかわらず、引っかかる部分がなくなり引き戸は開くことができるものである。
【手続補正書】
【提出日】平成20年4月10日(2008.4.10)
【手続補正１】
【補正対象書類名】実用新案登録請求の範囲
【補正対象項目名】全文
【補正方法】変更
【補正の内容】
【実用新案登録請求の範囲】
【請求項１】
地震発生と同時に、防災救命器具や医療薬品を保管した鋼板製物置小屋の戸当たり柱の鍵フック引っ掛かり部分をソレノイドで引っ張り自動的に解錠する装置。
【請求項２】
鋼板製物置小屋の開き戸に附属している鍵を取り替えることなく、戸当たり柱のフック穴を鍵フックが外れる大きさに広げ、広げた部分を可動鉄板で塞いでおき、地震と同時に自動的に可動鉄板を移動させて穴を開放することで請求項１の解錠システムを構築する。
【請求項３】
請求項２の解錠を行う可動鉄板の移動は、地震と同時に作動する地震感知器の接点信号を用いてソレノイドに電圧を印加することにより行う。
【請求項４】
可動鉄板を元の位置に戻す場合は、リセットボタンスイッチを押すことによりソレノイドの電源電圧が開放されて可動鉄板はスプリングの収縮力で元の位置に戻るため鍵フックの引っ掛かり部ができて施錠が可能となる装置。
【手続補正書】
【提出日】平成20年7月10日(2008.7.10)
【手続補正１】
【補正対象書類名】実用新案登録請求の範囲
【補正対象項目名】全文
【補正方法】変更
【補正の内容】
【実用新案登録請求の範囲】
【請求項１】
鉄板製物置小屋の開き戸に附属している鍵を取り替えることなく、戸当たり柱の鍵フック穴を鍵フックが外れる大きさに広げ、広げた部分を可動板で塞いでおき、地震と同時に自動的に可動板を移動させて穴を開放することで解錠する解錠装置。
【請求項２】
可動板の移動は、地震と同時に作動する地震感知器の接点信号を用いてソレノイドに電圧を印加することにより行う請求項１の解錠装置。
【請求項３】
可動板を元の位置に戻す場合は、リセットボタンスイッチを押すことによりソレノイドの電源電圧が開放されて可動板はスプリングの収縮力で元の位置に戻るため鍵フックの引っ掛かり部ができて施錠が可能となる請求項１の解錠装置。